(57)【要約】      （修正有）【課題】子供や学生又は成人等の利用者の目線に合わせ、防塵性と強度と採光を確保しつつ、組立式ラックの様に棚の高さを視認し易い最適な位置に組立できるラックを提供する。【解決手段】金属製の多数のビス穴の開いたシンプルな４本の柱と、金属板の底板と採光の為に開口部を有する金属板と透明パネルのコンポジット構造の強度補完する構造の棚板と天板と前板を採用しつつ、側面と背面には薄手の透過率の高い透明パネルをビスや両面テープ等で筋交いとして貼り付けた構造の採用により、多段式のラックでありながら部屋の照明光を展示物に４面より照射する防塵性に優れたシンプルな展示保管ラック。【選択図】図１
0003144153.tif 000002
【実用新案登録請求の範囲】
【請求項１】
鉄板を折り曲げ成形された多数のネジ穴の開いた４本の柱と金属製の成形品の底板と採光の為の透明な天板と棚板にて強度補強した構造を採用したラックにおいて、子供や大人の立った状態又は椅子に座った状態での目線位置に合わせ、任意の高さで模型作品や商品等の展示物をホコリから守りつつ展示保管する為、当該の棚階層にアクリル等の透明パネルを側面と背面に両面テープやビス等で柱面に固定可能なことを特徴とする防塵棚階層を有する組立式ラック。
【請求項２】
前記構造を採用したラックにおいて、天板や展示棚に透過率の高いアクリル等の透明パネルと金属枠や補強具を組み合わせ、ダイキャスト製の自動車模型や商品等への４方向からの採光の確保と棚としての強度確保を狙ったシンプルな構造の照明装置を要さない組立式ラック。
【請求項３】
前記構造を採用したラックにおいて、側面と背面に薄手の透明なパネルをビスまたは両面テープで筋交いとして固定し、ダイキャスト製模型の重量にも耐える強度を確保しつつ、模型作品や商品への採光と防塵性を確保する事を特徴とする多段式の組立式ラック。
【請求項４】
前記構造を採用したラックにおいて、作品や商品を出し入れする際に前面の左右の柱に固定された下のレールに沿って金属板にて補強した透明パネルの扉をはめ込み、当該防塵階層上辺の固定部で同パネルを簡単に固定可能な、ホコリの進入をブロックする為の樹脂フィルム又はゴム製の防塵対策具を具備した組立式ラック。
【請求項５】
前記構造を採用したラックにおいて、棚や天板にプレス成形にて折り曲げ部を設け、透明パネルと組み合わせ、下方向への強度確保と採光の確保をした事を特徴とする組立式ラック。
【請求項６】
ラックの地震等による転倒防止の為、柱の底面にビス等で耐震マットが貼り付け可能な面を形成した金属面を有する多段式の組立式ラック。
【請求項７】
前記構造を採用したラックにおいて、模型等の防塵展示を目的に透明パネルを固定可能な平面部を設けた多数のビス穴を有するＬ字型又は擬似Ｌ字型の柱からなる組立式ラック。
【請求項８】
前記構造を採用したラックにおいて、防塵性の実現の為、ネジ穴からのホコリ進入をブロックする為、樹脂製カバーやゴム製の防塵対策具を具備した組立式ラック。
【請求項９】
前記構造を採用したラックにおいて、防塵性の実現の為、ホコリ進入をブロックする為の防塵対策具のついた引き戸式又は蝶番式の扉の部品の採用により作品の出し入れが可能な開閉部材をビスで固定可能な事を特徴とする組立式ラック。
【考案の詳細な説明】
【技術分野】
【０００１】現在、模型やフィギュアやミニカーのコレクターは、作品やグッズ等の展示保管に一体成形された透明ケースを購入して一般家庭で保管している。更にコレクションの多いユーザは、強化ガラスで構成された４本の支柱を有する２〜３段式の専用の高価なケースで保管している。更に多数の雑貨店でも防塵を要する展示保管商品につき、多段式の蛍光灯を配したショーウインドウも利用されている。
【背景技術】
【０００２】本考案は、模型やフィギュアやミニカー等の商品の展示保管するシンプルな構造の子供や大人の立った高さや座った高さの目線位置に合わせた高さ位置で展示物の視認が可能な子供やマニアや雑貨店向けのシンプルな防塵ラックに関するものです。
【考案の開示】
【考案が解決しようとする課題】
【０００３】現在、模型やフィギュア等の作品やダイキャスト製のミニカー等はプラスチック成形された個別の透明ケースや３ｍｍ前後の厚さの強化ガラスで５面構成された堅牢な２〜３段式の高価な防塵展示保管ケースで展示保管されている。プラスチックケースはホコリを布等で拭くと表面に細かい傷がつきやすく、また一点ごとに個別に展示保管すると、スペースを取る、かさ張るといった課題がある為、防塵展示ガラスケースへのニーズは高い。
しかし強化ガラス製のケースは、３ｍｍ厚程度の堅牢なガラス板を天面や側面や背面や前面や棚面に配置し見栄えを追求しているものの、ガラスの原価から一部のマニア層や業務用に限定して設置されている。強化ガラスを５面に配したケースでは、棚板も含めグレードの高い強化ガラスを使用しており、ダイキャスト製の模型の重量に加え、ガラス自体の重量に耐える仕様を前提に特殊加工された見栄えを重視した四本の柱を採用しており、これらのコストアップにより、子供や学生のお小遣いでは手が届かない水準で販売されている。更に普及型の強化ガラスケースの場合、高さが６０又は９０ｃｍ程度であり、床面に設置した場合、最下層の棚に展示された作品や商品は、腰を落とした位置でも見づらい。専用の安定した台を購入し、その上に設置した場合は地震等による転倒の危険性が発生する。従い子供や学生又は成人の目線に合わせ、防塵性と強度と採光を確保しつつ、組立式ラックの様に棚の高さを視認し易い最適な位置に設定できる事が求められている。
【解決手段】
本考案は、金属製の多数のビス穴の開いたシンプルな４本の柱と、折り曲げ成形された金属板の底板と採光の為に開口部を有する金属板とアクリル等の透明パネルのコンポジット構造の強度を補完する構造の棚板と天板と前板に採用しつつ、更に側面と背面には薄手の透過率の高いアクリル板等の透明パネルを両面テープやビス等で固定した多段式のラックであり、部屋の照明を展示物に上と左右と前面からの照射する防塵性に優れたシンプルな展示保管ラックです。
この事により床面に同ラックを設置しても、防塵棚の商品を自然な視線で見える様に設置、展示が可能となる。
本考案の側面と背面については、筋交いとして強度の補完と防塵性の追求の為、アクリル板等の透明パネルを両面テープやビス等で固定するものです。
本考案のラックについては、別売で大きさの異なる透明パネルを発売する事により柱に設けられた多数の穴を利用して自由な高さの防塵スペースを確保するものです。
本考案では、防塵を実現する為にラック組立後に穴の開いた柱からのホコリの進入をブロックする為に樹脂製のカバーを当該階層の四隅に設置するものです。
更に重心が高いラックにおいて地震によるラックの転倒を防止する目的で断面がＬ字型の柱の底面に耐震マットを複数貼り付け可能な平らな金属面を設けるものです。
【課題を解決するための手段】
【０００４】本考案は、鉄板を折り曲げ成形された多数のネジ穴の開いた４本の柱と１段以上の棚板と底板と天板をビス等で固定し強度確保したラックに於いて、防塵状態での作品の展示棚の高さを子供や成人が立った位置から自然な視角で視認できる様に設置可能な事を特徴とするラックに関するものです。
本考案は、金属製の多数のビス穴の開いたシンプルな４本の柱と、金属板の底板と１枚以上の採光の為に開口部を有する金属部材とアクリル等の透明パネルのコンポジット構造の強度補完する構造の棚板と天板と前面に採用しつつ、更に側面と背面には透過率の高い薄手の透明パネルをビス又は両面テープで筋交いとして固定する構造の採用により多段式のラックでありながら、部屋の照明を展示物に上と左右と前面からの照射する防塵性に優れたシンプルな展示保管ラックです。前面や側面から入った背面への光を作品へ反射させる為にミラー処理を施したパネルを背面に採用する。
本考案の組立式ラックは、子供や大人が立った状態又は椅子に座った目線の位置に合わせ、模型作品等の展示物をホコリから守りつつ展示保管が可能にするものです。
ホコリから作品や商品を守る為、当該の棚の階層にアクリル等の透明パネルを側面と背面に両面テープやビス等で棚を柱面に固定可能な多段式の組立式のラックであり、強度の確保の為に２〜３ｍｍの厚のアクリル等の透明パネルを金属板を折り曲げ加工した棚板と天板を柱にビス等で固定し、商品への採光と強度の確保を実現するものです。
商品の出し入れに際しては、透明パネルをそのまま又は金属製の枠に両面テープ等で固定し、左右の柱に当該棚の下辺にビスでＶ字型の溝を設置し、透明パネルを同溝に挿入した後、棚の上辺に設置された固定具にて固定するものです。
【考案の効果】
【０００５】本考案は、シンプルな構造から強化ガラス製の普及型の三段式の展示ケースの半額弱のコストダウンに繋がる上、より広い収納力を実現するものです。
本考案では、従来のショップでの多段式のショーケース等で蛍光灯で各段の商品を常時照明していたエネルギーロスの節約を実現するものです。各棚ごとに上面と左右と前面から天井の蛍光灯の照明を商品へ照射し、部屋の照明の光を利用して商品や作品の魅力をアピールできるものです。
更に子供や大人の目線に合わせ、防塵棚の高さ位置を自由に設置可能な事を特徴とするラックです。更に飛行機やクルマ等の斜め上からの目線位置に合わせ棚の高さ位置を自由に設計できる事を特徴とする。更に展示していない商品や展示しているものの商品パッケージを下の非防塵棚に収納可能です。
アクリル等の透明パネルが何度もホコリをふき取る事により傷つく場合は、別売のパネルを購入し、交換が可能な事を特徴としている。
棚には、金属製の折り曲げ成形された枠と透明パネルを組み合わせ、ビスで柱に四箇所固定することにより、強度と展示物への採光の確保を狙うものです。
【考案を実施するための最良の形態】
【０００６】本考案を実現するための最良の形態について説明します。
本考案は、顧客の目線に合わせて作品やコレクションを防塵状態で展示保管できる事を特徴とする組立式のラックです。
透明性に優れた薄手の透明パネルの採用により限られた予算で多数の作品を立った又は座った状態での見たいアングルでの展示を可能にするものです。飛行機の場合、機体の全体が斜め上から見渡せる高さ位置に防塵棚を組み立てる事が可能です。
作品の出し入れは前面の防塵棚の上辺と下辺に配した固定具により着脱式の透明パネルの固定具により簡単にできます。更にオプションの引き戸と引き戸用透明パネルの導入により引き戸への変更も可能です。更に蝶番のラックへの固定により横方向への回転式の開閉用の部品の固定も選択可能です。
【実施例】
【０００７】図１展示保管用ラックについて説明します。本考案のラックは、そのシンプルな構造と防塵性と収納力と強度確保から、ホコリを嫌う商品や作品等の展示を行うショーケースとして部屋の天上の照明光を多段の各商品を照射し、展示可能な事を特徴とするシンプルな防塵展示保管ラックです。
【図面の簡単な説明】
【０００８】
【図１】展示保管ラックの外観図にて本考案の説明を行います。
【図２】前面の透過パネルの装着時の展示保管ラックの外観図にて本考案の説明を行います。
【図３】ラックの棚と天板の構造図にて本考案の説明を行います。
【図４】ラックの柱の脚部の側面図にて本考案の説明を行います。
【図５】透明パネル固定スペースを有するラックの柱の側面図にて本考案の説明を行います。
【図６】透明パネル固定スペースを有するラックの柱の外観図にて本考案の説明を行います。
【図７】ラックの柱の防塵化粧カバーの外観図にて本考案の説明を行います。
【図８】前面透明パネルの側面図にて本考案の説明を行います。
【図９】前面透明パネルの外観図にて本考案の説明を行います。
【図１０】補強具を使用したラックの天板や棚の構造図にて本考案の説明を行います。
【符号の説明】
【０００９】１    天板
２    多数のビス穴を有する柱
３    左側板、透明パネル、両面テープやビス等で固定
４    棚、開口部を有する金属枠、透明パネルと一体化
５    背面パネル、鏡処理パネル又は透過パネル
６    棚、非透過、主たる強度確保の為の鉄板製のパネル
７    底板、主たる強度確保の為の非透過の鉄板製のパネル
８    右側板、透明パネル、両面テープやビス等で固定
９    前面の透明パネル
１０  前面パネルの金属枠、強度確保の為の金属枠
１１  透明パネル
１２  下の展示物の為の採光の為の金属板の開口部
１３  金属板、開口部の鉄板は折り曲げて強度を強化された棚板
１４  柱のビス穴
１５  柱の台座、曲げ形成された平らな金属の平面、ラックの設置の耐震安定化を図る為
１６  耐震マット
１７  天板と透明棚の金属枠、大きな開口部により下段の商品への採光を確保する。
１８  人、子供
１９  Ｌ字型・擬似Ｌ字型の形状の柱の透明パネルを固定可能なスペース
２０  防塵兼化粧カバー
２１  展示物、商品や作品
２２  前板の金属製の枠
２３  防塵対策具
２４  子供の作品への視線
２５  大人の作品への視線
２６  前面パネルの上辺での固定用部材、上下へ可動式
２７  前面パネルの下辺での固定用部材、Ｖ字型の断面形状を有する金属部品でボルトで柱に固定
２８  人、大人
２９  商品のパッケージ、商品の箱
３０  補強具
【図１】
0003144153.tif 000003
【図２】
0003144153.tif 000004
【図３】
0003144153.tif 000005
【図４】
0003144153.tif 000006
【図５】
0003144153.tif 000007
【図６】
0003144153.tif 000008
【図７】
0003144153.tif 000009
【図８】
0003144153.tif 000010
【図９】
0003144153.tif 000011
【図１０】
0003144153.tif 000012
【手続補正書】
【提出日】平成20年3月31日(2008.3.31)
【手続補正１】
【補正対象書類名】実用新案登録請求の範囲
【補正対象項目名】請求項１
【補正方法】変更
【補正の内容】
【請求項１】
４本の柱と底板と採光の為に透明パネルと金属製補強部材を組み合せた天板と棚板にて強度確保した構造を採用したラックにおいて、子供や大人の立った状態又は椅子に座った状態での目線位置に合わせ、任意の高さで模型作品や商品等の展示物をホコリから守りつつ展示保管する為、当該の棚階層にアクリル等の透明パネルを側面と背面に両面テープやビス等で柱部に固定可能なことを特徴とする防塵棚階層を有する組立式ラック。
【手続補正２】
【補正対象書類名】実用新案登録請求の範囲
【補正対象項目名】請求項５
【補正方法】変更
【補正の内容】
【請求項５】
前記構造を採用したラックにおいて、棚や天板にプレス成形にて折り曲げ開口部を設けた金属板又は金網と透明パネルを組み合わせ、下方向への強度確保と採光の確保をした事を特徴とする組立式ラック。
【手続補正３】
【補正対象書類名】実用新案登録請求の範囲
【補正対象項目名】請求項７
【補正方法】変更
【補正の内容】
【請求項７】
前記構造を採用したラックにおいて、模型等の防塵展示を目的に透明パネルを固定可能な平面部を設けた柱からなる組立式ラック。
【手続補正４】
【補正対象書類名】実用新案登録請求の範囲
【補正対象項目名】請求項８
【補正方法】変更
【補正の内容】
【請求項８】
前記構造を採用したラックにおいて、防塵性の実現の為、ネジ穴や隙間からのホコリの進入をブロックする為、樹脂製カバーやゴム製の防塵対策具を具備した組立式ラック。
【手続補正書】
【提出日】平成20年5月14日(2008.5.14)
【手続補正１】
【補正対象書類名】実用新案登録請求の範囲
【補正対象項目名】全文
【補正方法】変更
【補正の内容】
【実用新案登録請求の範囲】
【請求項１】
４本の柱と底板と採光の為に透明パネルと金属製補強部材を組み合せた天板と棚板にて強度確保した構造を採用したラックにおいて、子供や大人の立った状態又は椅子に座った状態での目線位置に合わせ、任意の高さで模型作品や商品等の展示物をホコリから守りつつ展示保管する為、当該の棚階層にアクリル等の透明パネルを側面と背面に両面テープやビス等で柱部に固定可能なことを特徴とする防塵棚階層を有する組立式ラック。
【請求項２】
請求項１記載の構造を採用したラックにおいて、天板や展示棚に透過率の高いアクリル等の透明パネルと金属枠や補強具を組み合わせ、ダイキャスト製の自動車模型や商品への４方向からの採光の確保と棚としての強度確保を狙ったシンプルな構造の照明装置を要さない組立式ラック。
【請求項３】
請求項１記載の構造を採用したラックにおいて、側面と背面に薄手の透明なパネルをビスまたは両面テープで筋交いとして固定し、ダイキャスト製模型の重量にも耐える強度を確保しつつ、模型作品や商品への採光と防塵性を確保する事を特徴とする多段式の組立式ラック。
【請求項４】
請求項１記載の構造を採用したラックにおいて、作品や商品を出し入れする際に前面の左右の柱に固定された下のレールに治って金属板にて補強した透明パネルの扉をはめ込み、当該防塵階層上辺の固定部で同パネルを簡単に固定可能な、ホコリの進入をブロックする為の樹脂フィルム又はゴム製の防塵対策具を具備した組立式ラック。
【請求項５】
請求項１記載の構造を採用したラックにおいて、棚や天板にプレス成形にて折り曲げ開口部を設けた金属板又は金網と透明パネルを組み合わせ、下方向への強度確保と採光の確保をした事を特徴とする組立式ラック。
【請求項６】
ラックの地震等による転倒防止の為、柱の底面に固定具で耐震マットが貼り付け可能な面を形成した金属面を有する請求項１記載の組立式ラック。
【請求項７】
請求項１記載の構造を採用したラックにおいて、模型や商品の防塵展示を目的に透明パネルを固定可能な平面部を設けた柱からなる組立式ラック。
【請求項８】
請求項１記載の構造を採用したラックにおいて、防塵性の実現の為、ネジ穴や隙間からのホコリの進入をブロックする為、樹脂製カバーやゴム製の防塵対策具を具備した組立式ラック。
【請求項９】
請求項１記載の構造を採用したラックにおいて、防塵性の実現の為、ホコリ進入をブロックする為の防塵対策具のついた引き戸式又は蝶番式の扉の部品の採用により作品の出し入れが可能な開閉部材をビスで固定可能な事を特徴とする組立式ラック。